(57)【特許請求の範囲】
【請求項１】
腕金に取付けられ、電線の仮置に使用される電線仮置具であって、
前記電線の周囲を囲う開閉式の電線カバーを備え、
前記電線カバーは、前記電線カバーの内側に配置され前記電線を載置する電線仮置部と、前記電線カバーの外側から前記電線仮置部への前記電線の経路を開閉する開閉カバーとを備え、
前記開閉カバーは、前記電線仮置部に前記電線が載置されると閉まり、前記電線仮置部から前記電線が取り除かれると開くことを特徴とする電線仮置具。
【請求項２】
前記開閉カバーは、回動自在な回動体であり、前記電線仮置部に前記電線が載置されると前記電線の重量により回動して閉まることを特徴とする請求項１に記載の電線仮置具。
【請求項３】
前記電線カバーは、前記電線仮置部に前記電線が載置されていないときに前記開閉カバーを開いた状態に保つ開放手段を備え、
前記開放手段は、前記電線仮置部に前記電線が載置されると前記開閉カバーが閉まるように構成されていることを特徴とする請求項１又は２に記載の電線仮置具。
【請求項４】
前記開放手段は、バネを備え、
前記開閉カバーは、前記バネの弾性力により開いた状態に保たれ、前記電線仮置部に前記電線が載置されると、前記バネの弾性力に打ち勝ち閉まることを特徴とする請求項３に記載の電線仮置具。
【請求項５】
前記開放手段は、前記開閉カバーに取付けられた重量体を備え、
前記重量体は、前記開閉カバーが開く方向に力が加わるように前記開閉カバーに取付けられており、
前記開閉カバーは、前記重量体の重量により開いた状態に保たれ、前記電線仮置部に前記電線が載置されると、前記重量体が作用する力に打ち勝ち閉まることを特徴とする請求項３に記載の電線仮置具。
【請求項６】
前記電線カバーは、絶縁体で構成されていることを特徴とする請求項１から５のいずれか１項に記載の電線仮置具。
【発明の詳細な説明】
【技術分野】
【０００１】
本発明は、腕金に取付けられ、電線を仮置する際に使用される電線仮置具に関する。
【背景技術】
【０００２】
高圧配電線路の電線を支持する碍子に雷撃等によりひび割れが発生した場合、間接活線作業により碍子の取替を行うことがある。碍子の取替作業時には、碍子から取外した電線（高圧線）と（高圧）腕金との接触等による地絡、短絡事故を防止すべく、電線及び腕金に地絡、短絡防止用の絶縁シート等の防具を取付け、シートクリップ等で固定する必要があるが、間接活線作業では長尺な絶縁操作棒を用いて作業を行うため、防具の取付けや固定に時間が掛かるという問題があった（例えば特許文献１参照）。
【０００３】
間接活線作業による碍子の取替作業を簡素化すべく、碍子から取外した電線を保護する絶縁カバーを備える、腕金に一時的に取付け可能な電線仮支持具が提案されている（例えば特許文献２参照）。これによれば、電線仮支持具を腕金に取付け、クリップ様の部材を絶縁操作棒で抓んで絶縁カバーを開き、碍子から電線を外して絶縁カバー内に仮置し、押しボタン様の部材を絶縁操作棒で押すと絶縁カバーが閉まり、電線が保護される。
【先行技術文献】
【特許文献】
【０００４】
【特許文献１】特開２０１０−２１３５２１号公報
【特許文献２】特開２０１２−２５３９９４号公報
【発明の概要】
【発明が解決しようとする課題】
【０００５】
特許文献２に記載の電線仮支持具によれば、電線及び腕金に他の防具を取付けることなく、碍子取替作業時における地絡、短絡事故を防止することができるが、クリップ様の部材及び押しボタン様の部材を絶縁操作棒で操作する必要があり、さらなる作業の簡素化が望まれていた。
【０００６】
本発明の目的は、安全性を確保しつつ電線の仮置を容易に行うことができる電線仮置具を提供することである。
【課題を解決するための手段】
【０００７】
本発明は、腕金に取付けられ、電線の仮置に使用される電線仮置具であって、前記電線の周囲を囲う開閉式の電線カバーを備え、前記電線カバーは、前記電線カバーの内側に配置され前記電線を載置する電線仮置部と、前記電線カバーの外側から前記電線仮置部への前記電線の経路を開閉する開閉カバーとを備え、前記開閉カバーは、前記電線仮置部に前記電線が載置されると閉まり、前記電線仮置部から前記電線が取り除かれると開くことを特徴とする電線仮置具である。
【０００８】
また本発明において、前記開閉カバーは、回動自在な回動体であり、前記電線仮置部に前記電線が載置されると前記電線の重量により回動して閉まることを特徴とする。
【０００９】
また本発明において、前記電線カバーは、前記電線仮置部に前記電線が載置されていないときに前記開閉カバーを開いた状態に保つ開放手段を備え、前記開放手段は、前記電線仮置部に前記電線が載置されると前記開閉カバーが閉まるように構成されていることを特徴とする。
【００１０】
また本発明において、前記開放手段は、バネを備え、前記開閉カバーは、前記バネの弾性力により開いた状態に保たれ、前記電線仮置部に前記電線が載置されると、前記バネの弾性力に打ち勝ち閉まることを特徴とする。
【００１１】
また本発明において、前記開放手段は、前記開閉カバーに取付けられた重量体を備え、前記重量体は、前記開閉カバーが開く方向に力が加わるように前記開閉カバーに取付けられており、前記開閉カバーは、前記重量体の重量により開いた状態に保たれ、前記電線仮置部に前記電線が載置されると、前記重量体が作用する力に打ち勝ち閉まることを特徴とする。
【００１２】
また本発明において、前記電線カバーは、絶縁体で構成されていることを特徴とする。
【発明の効果】
【００１３】
本発明の電線仮置具によれば、仮置した電線の周囲を囲う電線カバーが電線仮置部と開閉カバーとを備え、開閉カバーは、電線仮置部に電線が載置されると閉まり、電線仮置部から電線が取り除かれると開くので、安全性を確保しつつ電線の仮置を容易に行うことができる。
【図面の簡単な説明】
【００１４】
【図１】本発明の第１実施形態の電線仮置具１を腕金９２に取付けた状態を示す斜視図である。
【図２】図１の電線仮置具１の電線仮置部３６まで電線９１を移動させた状態を示す斜視図である。
【図３】図１の電線仮置具１の電線カバー１１が閉まった状態を示す斜視図である。
【図４】図１及び図３の電線仮置具１の正面図である。
【図５】本発明の第２実施形態の電線仮置具２の斜視図である。
【図６】本発明の第３実施形態の電線仮置具３を腕金９２に取付けた状態を示す斜視図である。
【発明を実施するための形態】
【００１５】
図１は、本発明の第１実施形態の電線仮置具１を腕金９２に取付けた状態を示す斜視図である。図２は、図１の電線仮置具１の電線仮置部３６まで電線９１を移動させた状態を示す斜視図である。図３は、図１の電線仮置具１の電線カバー１１が閉まった状態を示す斜視図である。図４（ａ）は、図１の電線仮置具１の正面図である。図４（ｂ）は、図３の電線仮置具１の正面図である。
【００１６】
本発明の第１実施形態の電線仮置具１は、電線９１を載置させ周囲を囲う開閉式の電線カバー１１と、腕金９２に着脱可能な取付金具１２とを備え、例えば、腕金９２に設置された碍子９３の取替作業時に碍子９３から取外された電線９１を仮置するために腕金９２に一時的に取付けて使用される。
【００１７】
電線カバー１１は、横長平板状の固定カバー２１と、２枚の横長平板材を回動自在に互いの長辺部で連結した開閉カバー２２と、固定カバー２１及び開閉カバー２２を固定する基台２３とを備え、固定カバー２１と開閉カバー２２とで電線９１を囲う。電線カバー１１は、固定カバー２１と開閉カバー２２とが向かい合うように基台２３に固定されており、基台２３の下面が取付金具１２の上面に接合されている。なお第１から第３実施形態において、固定カバーと開閉カバーとが互いに向き合う方向を内側とする。
【００１８】
また電線カバー１１では、上部における固定カバー２１と開閉カバー２２との離隔が電線９１の経路となり、開閉カバー２２が回動することで該経路が開閉する。
【００１９】
固定カバー２１は、短手方向が鉛直になるように基台２３の上部に固定されている。固定カバー２１の内側の面には、電線カバー１１が閉まる際に、後述する開閉カバー２２の上板３３を受けるストッパー３１が突出した形で設けられている。また固定カバー２１は、公知の絶縁シートや絶縁管と同様、電線９１の電圧に耐え得る絶縁体で形成されている。
【００２０】
なお固定カバー２１及び後述する開閉カバー２２は、平板材ではなく、周囲（端部）に芯材（図示省略）を配置し、芯材に絶縁シート（図示省略）を張設して構成されていてもよい。これは、他の実施形態についても同様である。
【００２１】
ストッパー３１は、長手方向に亘って設けられており、正面視において上側が傾斜した直角三角形に形成されている。ただしストッパー３１の形状は、特定の形状に限定されるものではなく、開閉カバー２２の上板３３の形状や接触するときの角度等に合わせて適宜最適な形状にすればよい。またストッパー３１は、電線カバー１１の開閉の度に開閉カバー２２の上板３３に接触するので、耐久性やクッション性に優れた材質で形成されていることが好ましい。
【００２２】
開閉カバー２２は、基台２３に固定されている下板３２と、下板３２に回動自在に連結されている上板３３と、下板３２と上板３３とを連結しているヒンジ３４と、ヒンジ３４に取付けられている、ねじりコイルばね（図示省略）とを備える。また開閉カバー２２は、固定カバー２１と同様、絶縁体で形成されている。
【００２３】
下板３２は、平板材であり、固定カバー２１と互いの長手方向が平行になるように基台２３に固定されている。また下板３２は、上板３３と固定カバー２１との間に電線９１が通過可能な離隔を確保すべく、外側に傾いて固定されている。なお下板３２は、上板３３と固定カバー２１との離隔を確保することが可能であれば傾いている必要はなく、例えば、基台２３に垂直に固定されていてもよい。
【００２４】
上板３３は、平板材であり、ヒンジ３４を介して下端部が下板３２の上端部に回動自在に連結されている。上板３３は、外側へ回動する際には、下端部が下板３２の上端部に当接し固定カバー２１と向かい合う面同士が平行になるまで回動する。上板３３は、内側へ回動する際には、上端部が固定カバー２１のストッパー３１に当接するまで回動する。
【００２５】
なお本実施形態の電線カバー１１において、上板３３が外側へ回動し切った状態が開いた状態であり、上板３３が内側へ回動し切った状態が閉まった状態である。
【００２６】
上板３３の内側の面の中央部には、電線９１を載置させる電線仮置部３６が長手方向に亘って設けられている。電線仮置部３６には、電線９１を上から載置可能に、正面視において下半分の半円形の溝が形成されている。電線仮置部３６の形状は、特定の形状に限定されるものではなく、電線９１を載置可能であり、上板３３が内側に回動して電線カバー１１が閉まったときに電線９１が落下しない形状であればよい。
【００２７】
ヒンジ３４は、公知のヒンジを用いることができる。またヒンジ３４には、上板３３を外側へ回動させる、ねじりコイルばね（図示省略）が取付けられている。ねじりコイルばねの弾性力は、電線９１が電線仮置部３６に載置されていないときに上板３３が下板３２の上端部に当接するまで外側に回動するように、かつ電線９１が電線仮置部３６に載置されたときに電線９１（及びストレーリングトング９５）の重量により上板３３がストッパー３１に当接するまで内側に回動するように決められている。
【００２８】
なお電線カバー１１の大きさの一例を挙げると、長さ（固定カバー２１、開閉カバー２２の長手方向）が約５０ｃｍ、高さが約２０ｃｍである。ただし、これに限定されるものではない。例えば、固定カバー２１において、ストッパー３１よりも上の部分が形成されていなくてもよい。
【００２９】
取付金具１２は、略コ字状の金具本体５１とボルト様の固定具５２とを備え、金具本体５１を腕金９２に掛止させ、固定具５２を用いて腕金９２に固定される。取付金具１２は、腕金９２に固定されたときに電線カバー１１の長手方向が腕金９２と直交する（電線９１と平行になる）向きで基台２３に接合されている。なお電線カバー１１と取付金具１２との互いの水平角度を調節可能に、図示しない回転自在なジョイント等を介して基台２３と取付金具１２とが連結されていてもよい。
【００３０】
金具本体５１は、腕金９２に掛止可能に上側の開口端部から直角に形成された掛止片６１と、固定具５２を取付可能に下面中央部に形成されたボルト孔６２とを備える。
【００３１】
固定具５２は、外周面にネジ山が設けられたボルト様の部材であり、先端に腕金９２に密接する円板様の固定部６３を備え、基端に絶縁操作棒（図示省略）に着脱容易な連結部６４を備える。連結部６４は、絶縁操作棒の先端を挿入し長軸周りに回転させて着脱可能な公知のいわゆるツイストロック機構である。
【００３２】
次に本実施形態の電線仮置具１の使用方法について、碍子９３の取替作業を例として説明する。絶縁操作棒（図示省略）の先端を電線仮置具１の取付金具１２の連結部６４に連結させ、電線仮置具１を持ち上げて、取替を行う碍子９３に隣接するように取付金具１２の金具本体５１を腕金９２に掛止させる。この状態で絶縁操作棒を操作し取付金具１２の固定具６３を回転させて電線仮置具１を腕金９２に固定する（図１参照）。
【００３３】
碍子９３に固定されている電線９１を、碍子９３を挟んで２箇所、間接活線工具であるストレーリングトング９５を用いて把持し、間接活線工具である絶縁ヤットコ（図示省略）等を用いて電線９１を碍子９３に固定しているバインド線９４を外す。この作業は、従来の碍子取替作業の場合と同様である。
【００３４】
ストレーリングトング９５を操作し電線９１を電線仮置具１の電線仮置部３６に載置する（図２参照）。このとき電線仮置具１は、ねじりコイルばねの作用により開閉カバー２２の上板３３が外側へ回動し電線カバー１１が開いた状態なので、そのまま電線９１を載置させることができる。
【００３５】
電線９１を電線仮置部３６に載置すると、電線９１（及びストレーリングトング９５）の重量により開閉カバー２２の上板３３がねじりコイルばねの弾性力に打ち勝ち固定カバー２１のストッパー３１に当接するまで内側へ回動し、電線カバー１１が閉まる（図３参照）。
【００３６】
碍子９３を取替えた後は、ストレーリングトング９５を操作し電線９１を電線仮置部３６から持ち上げると、ねじりコイルばねの弾性力により開閉カバー２２の上板３３が外側へ回動し、電線カバー１１が開いた状態となる。そのままストレーリングトング９５を操作し電線９１を取替えた碍子（図示省略）まで移動させ、バインド線９４を巻き付けて電線９１を碍子に固定する。
【００３７】
以上のように、本実施形態の電線仮置具１を用いると、電線９１及び腕金９２への絶縁防具の取付が不要であることに加え、電線９１を移動させる操作だけで電線９１を絶縁体の電線カバー１１内に仮置することができるので、安全性を確保しつつ容易に作業を行うことができる。また電線９１にストレーリングトング９５を取付けたままの状態で碍子９３の取替作業を行うことができるので、取替後の碍子に電線９１を近接させる作業が容易となる。なお本実施形態の電線仮置具１は、碍子９３の取替作業に限らず、電線９１を仮置する他の用途に幅広く用いることができる。
【００３８】
図５（ａ）は、本発明の第２実施形態の電線仮置具２の斜視図である。図５（ｂ）は、図５（ａ）の電線仮置具２の電線カバー７１が閉まった状態を示す斜視図である。図１から図４に示す第１実施形態の電線仮置具１と同一の構成には、同一の符号を付して説明を省略する。第２実施形態の電線仮置具２は、第１実施形態の電線仮置具１と基本的構成は同じであるが、ねじりコイルばねに代えて、重量体７５が開閉カバー７２に取付けられている。またヒンジ３４に代えて、パイプ７７とシャフト７８とを備える。
【００３９】
本実施形態の電線仮置具２の開閉カバー７２は、上板３３の下端面に平板材である重量体取付板７６が取付けられており、重量体取付板７６の下端部の内側に半円柱体の重量体７５が取付けられている。
【００４０】
重量体取付板７６は、上板３３と同じ長さ、厚みで形成されている。また重量体取付板７６の高さは、開閉カバー７２が開いた状態で下端の高さが固定カバー２１及び下板７３の下端の高さと同じになるように決められている。重量体７５は、重量体取付板７６に長手方向に亘って取付けられている。なお重量体７５及び重量体取付板７６の形状は、特定の形状に限定されるものではない。
【００４１】
重量体７５及び重量体取付板７６は、電線仮置部３６に電線９１が載置されていないときには、重量体取付板７６が下板７３の上端部７４に当接するまで上板３３が外側に回動し、電線仮置部３６に電線９１が載置されると、電線９１（及びストレーリングトング９５）の重量により上板３３が重量体７５の作用する力に打ち勝ち固定カバー２１のストッパー３１に当接するまで内側に回動するように、重量、形状、取付位置が決められる。
【００４２】
開閉カバー７２の下板７３は、上端部７４の形状が第１実施形態の電線仮置具１の下板３２と異なっている。下板７３の上端部７４は、上板３３が外側に回動し重量体取付板７６が上端部７４に当接したときに、上板３３と固定カバー２１との向かい合う面同士が平行になるように形状が決められている。
【００４３】
また上板３３の下端部の内側中央部、及び下板７３の上端部の内側両端部には、それぞれ円筒体のパイプ７７が互いに長手方向に連通するように取付けられており、円柱体のシャフト７８がパイプ７７に挿通して取付けられている。これにより上板３３が下板７３に回動自在に連結されている。
【００４４】
本実施形態の電線仮置具２では、電線仮置部３６に電線９１が載置されていないときには、重量体７５（及び重量体取付板７６）の重量により開閉カバー７２の上板３３が外側へ回動し電線カバー７１が開いた状態となる。なお重量体７５と、第１実施形態の電線仮置具１のねじりコイルばねとを併用することも可能である。また本実施形態の電線仮置具２では、ヒンジ３４に代えて、パイプ７７とシャフト７８とを用いたが、第１実施形態の電線仮置具１と同様にヒンジ３４を用いてもよい。
【００４５】
図６は、本発明の第３実施形態の電線仮置具３を腕金９２に取付けた状態を示す斜視図である。図１から図４に示す第１実施形態の電線仮置具１と同一の構成には、同一の符号を付して説明を省略する。第３実施形態の電線仮置具３は、第１実施形態の電線仮置具１と基本的構成は同じであるが、電線カバー８１の固定カバー８２の形状と開閉カバー８３の構成が異なる。
【００４６】
固定カバー８２は、底板８４を有し、底板８４の両端と中央とに垂直に平板を立設させた形の転倒Ｅ字状の絶縁体構造物であり、底板８４において電線カバー８１の外側に位置する外側電線落下防止部８５と、中央に立設しストッパー３１を備える電線カバー部８６と、底板８４において電線カバー８１の内側に位置する内側電線落下防止部８７とを備える。
【００４７】
外側電線落下防止部８５は、電線９１を碍子９３から電線カバー部８６まで移動させるときに電線９１が落下した場合に、落下した電線９１を受けることで電線９１が腕金９２に接触することを防止する。
【００４８】
また外側電線落下防止部８５の端部には、外側電線落下防止部８５からの電線９１の滑落を防止すべく、鉛直上向きに滑落防止板８８が形成されている。
【００４９】
電線カバー部８６は、第１実施形態の電線仮置具１の固定カバー２１と同一の形状であり、内側電線落下防止部８７、開閉カバー８３とともに電線仮置部３６に載置された電線９１の周囲を囲う。
【００５０】
内側電線落下防止部８７は、電線９１を電線カバー部８６から電線仮置部３６まで移動させるときに電線９１が落下した場合に、落下した電線９１を受けることで電線９１が腕金９２に接触することを防止する。
【００５１】
内側電線落下防止部８７の端部には、開閉カバー８３を連結させる連結板８９が鉛直上向きに形成されている。
【００５２】
開閉カバー８３は、第１実施形態の電線仮置具１の開閉カバー２２の上板３３のみからなる。開閉カバー８３は、ヒンジ３４を介して固定カバー８２の連結板８９の上端部に回動自在に連結されている。開閉カバー８３の開閉動作については、第１実施形態の電線仮置具１の開閉カバー２２の上板３３と同じであるため説明を省略する。
【００５３】
本実施形態の電線仮置具３を用いると、電線９１の移動中に万が一、電線９１が落下した場合でも、電線９１と腕金９２との接触を防止することができる。
【００５４】
以上、第１から第３実施形態の電線仮置具１、２、３を用いて、本発明の電線仮置具を説明したが、本発明の電線仮置具は、上記実施形態に限定されるものではなく要旨を変更しない範囲で変形することができる。例えば、固定カバーも開閉カバーと同様に回動するように構成し、固定カバーと開閉カバーとで電線カバーの開閉を行うようにしてもよい。このとき電線仮置部が固定カバーに設けられていてもよい。
【００５５】
ねじりコイルばねに代えて、電動モーター（図示省略）を設け、開閉カバーの開閉を電動モーターで行うとともに、電線仮置部に電線が載置されたことを検出するセンサー（図示省略）等を設け、センサーが電線を検知したときに開閉カバーが自動で閉まるようにしてもよい。
【００５６】
開閉カバーは、回動して開閉するものに限定されるものではなく、例えば、直動して開閉するように構成してもよい。
【００５７】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５８】
１、２、３  電線仮置具
１１、７１、８１  電線カバー
２２、７２、８３  開閉カバー
３６  電線仮置部
７５  重量体
９１  電線
９２  腕金
【要約】
【課題】安全性を確保しつつ電線の仮置を容易に行うことができる電線仮置具を提供する。
【解決手段】腕金９２に取付けられ、電線９１の仮置に使用される電線仮置具１であって、電線９１の周囲を囲う開閉式の電線カバー１１を備え、電線カバー１１は、電線カバー１１の内側に配置され電線９１を載置する電線仮置部３６と、電線カバー１１の外側から電線仮置部３６への電線９１の経路を開閉する開閉カバー２２とを備え、開閉カバー２２は、電線仮置部３６に電線９１が載置されると閉まり、電線仮置部３６から電線９１が取り除かれると開くように構成されている。
【選択図】図１【図１】
0005903148.tif 000002
【図２】
0005903148.tif 000003
【図３】
0005903148.tif 000004
【図４】
0005903148.tif 000005
【図５】
0005903148.tif 000006
【図６】
0005903148.tif 000007